(57)【要約】      （修正有）【課題】直管形ＬＥＤ照明を確実に保持して落下する危険性を無くし、しかも、着脱が簡単にできる落下防止器具を提供する。【解決手段】略Ｕ字状に形成された胴部１と、該胴部１の先端に形成された楔状の係止部２とを備える構成とした。略Ｕ字状の保持部により直管形ＬＥＤ照明の管体を下側から確実に保持することができ、楔状の係止部で確実に取付部材に係止できるので、管体が落下する危険性を皆無にすることができる。また、保持部のバネ作用により、ワンタッチで係止部を取付部材に取付けができ、しかも保持部と係止部が一体で成形されているので、極めて簡単に取付けができると共にコストの安価な落下防止器具を実現することができる。【選択図】図１
0003166927.tif 000002
【実用新案登録請求の範囲】
【請求項１】
直管形ＬＥＤ照明の管体を下側より保持する保持部と、前記保持部を係止する係止部が一体に形成されていることを特徴とする落下防止器具。
【請求項２】
前記保持部は光透過性の合成樹脂材料から略Ｕ字状に形成されていることを特徴とする落下防止器具。
【請求項３】
前記保持部は、先端部が弾性を備えていることを特徴とする請求項１に記載の落下防止器具。
【請求項４】
前記係止部は、前記保持部の先端に設けられ、楔状に形成されていることを特徴とする請求項１に記載の落下防止器具。
【請求項５】
前記係止部は、前記保持部の先端に設けられて楔状に形成され、取付け部材との係止面が水平であることを特徴とする請求項１に記載の落下防止器具。
【請求項６】
前記係止部は、前記保持部の先端に設けられて楔状に形成され、取付け部材との係止面が傾斜していることを特徴とする請求項１に記載の落下防止器具。
【考案の詳細な説明】
【技術分野】
【０００１】
本考案は、直管形ＬＥＤ照明の落下を防止するための落下防止器具に関する。
【背景技術】
【０００２】
近年、環境意識の高まりから、省電力化に優れたＬＥＤを光源に使用したＬＥＤ照明が盛んに用いられるようになってきた。特に最近は、従来の蛍光灯に代えて直管形ＬＥＤ照明が急激に使用されるようになってきた。しかしながら、この直管形ＬＥＤ照明は、ＬＥＤ素子を数十個以上使用するため、その重量は従来の蛍光灯に比べ２倍程度になり、この直管形ＬＥＤ照明を取付けた場合に、従来の蛍光灯に比べ落下する可能性が大きくなるという問題があった。特に直管形ＬＥＤ照明は長寿命になるため、交換のスパンが非常長くなり、その危険性がさらに増すという問題があった。そこで、この問題を解決する手段として、特許文献１に示すような蛍光灯型ＬＥＤ照明具の落下防止治具があった。
【０００３】
この蛍光灯型ＬＥＤ照明具の落下防止治具は、蛍光灯器具の一対のソケットの間に取付けられた蛍光灯型ＬＥＤ照明具を支持する支持部と、前記支持部と前記蛍光灯器具の本体部の間を結ぶ連結部を備えたことを特徴とするものである。
【先行技術文献】
【特許文献】
【０００４】
【特許文献１】実登３１５５０１８号公報
【考案の概要】
【考案が解決しようとする課題】
【０００５】
しかしながら、この特許文献１に示す蛍光灯型ＬＥＤ照明具の落下防止治具においては、支持部３２の下側が開放された半円弧状をしており、この支持部３２の蛍光灯型ＬＥＤを把持する強度は、この支持部３２の板厚や加工形状により左右されるものであり、地震などの場合に落下する危険性は皆無とは言い難いものであった。また、この落下防止治具を作るためには、構成部品である装着部３０と支持部３２、連結部３４をそれぞれ所定の形状に加工した後に、さらにこれら３つの部品を溶接する必要があり、製造に手間がかかるという問題もあった。
【０００６】
本考案は前述した従来の問題点を鑑みなされたものであり、直管形ＬＥＤ照明を確実に保持することにより落下の危険性を無くし、しかも、着脱が比較的簡単にできる落下防止器具を提供するものである。
【課題を解決するための手段】
【０００７】
上記課題を解決するため、請求項１の考案にあっては、直管形ＬＥＤ照明の管体を下側より保持する保持部と、前記保持部を係止する係止部が一体に形成されていることを特徴とするものである。
【０００８】
また、請求項２の考案にあっては、前記保持部は光透過性の合成樹脂材料から略Ｕ字状に形成されていることを特徴とする落下防止器具。
【０００９】
また、請求項３の考案にあっては、前記保持部は先端部が弾性を備えていることを特徴としている。
【００１０】
また、請求項４の考案にあっては、前記係止部は前記保持部の先端に設けられ、楔状に形成されていることを特徴としている。
【００１１】
また、請求項５の考案にあっては、前記係止部は前記保持部の先端に設けられて楔状に形成され、取付部材との係止面が水平であることを特徴としている。
【００１２】
さらに、請求項６の考案にあっては、前記係止部は前記保持部の先端に設けられて楔状に形成され、取付部材との係止面が傾斜していることを特徴としている。
【考案の効果】
【００１３】
本考案によれば、略Ｕ字状の保持部により直管形ＬＥＤ照明の管体を下側から確実に保持することができ、楔状の係止部で確実に取付部材に係止できるので、管体が落下する危険性を皆無にすることができる。
【００１４】
また、保持部のバネ作用により、ワンタッチで係止部を取付部材に取付けができ、しかも保持部と係止部が一体で成形されているので、極めて簡単に取付けができると共にコストの安価な落下防止器具を提供することができる。
【図面の簡単な説明】
【００１５】
【図１】本考案に係る落下防止器具を示す斜視図である。
【図２】図１に示す落下防止器具の使用状態を示す斜視図である。
【図３】図２のＸ−Ｘの矢視断面図である
【図４】図３のＡ部の拡大断面図である。
【図５】本考案に係る落下防止器具の実施例を示す斜視図である。
【考案を実施するための形態】
【００１６】
以下、本考案における落下防止器具の実施の形態を添付図面に基づいて説明する。図１は本考案に係る落下防止器具Ａを示すもので、ポリカーボネート、ポリブチレンテレフタレート（ＰＢＴ）、ポリプロピレンなどの光透過性の樹脂材料から略Ｕ字状に形成された保持部材である胴部１と、この胴部１の先端に形成された楔状の係止部２，２から構成されている。
【００１７】
この落下防止器具Ａの胴部１が略Ｕ字状に形成されているのは、先端の係止部２，２間に適度のバネ性を持たせるためであり、そのため板厚寸法も１〜１．５ｍｍに設定されている。また、胴部１の径も一般的な直管形ＬＥＤ照明や一般の蛍光灯を保持できる寸法に設定されている。この胴部１は光透過性の樹脂材料から形成されているので、直管形ＬＥＤ照明に装着しても照明の妨げにならないものである。
【００１８】
また、先端の係止部２、２は、使用状態において、図４に示すように、反射板４の挿入孔５，５に挿入されて係止されるものなので、楔状の傾斜角度は４５〜７０度に形成されている。そして、取付部材の反射板４との係止面２ａは水平に形成されている。
【００１９】
このように形成された係止部２は、図４に示すように、一旦、反射板４の挿入孔５に挿入されると、胴部１のバネ性により外側に拡がるため、係止部２の係止面２ａが反射板４の裏面４ａと係合し、簡単には抜けない状態になるものである。
【００２０】
このように構成された落下防止器具Ａは、図２または図３に示すように、天井７に取付けられた直管形ＬＥＤ照明の管体３に取付けられるものである。この落下防止器具Ａを取付ける場合は、単に直管形ＬＥＤ照明を取付けた反射板４に形成された２つの挿入孔５，５に係止部２、２を差し込むだけなので、極めて簡単に取付けができるものである。この落下防止器具Ａは通常の直管形ＬＥＤ照明のサイズにおいては、図２に示すように、中央部に１個取付ければよいが、ロングサイズでは２個以上の取付けも可能である。
【００２１】
また、このように取付けられた落下防止器具Ａは、図４に示すように、楔状の係止部２が一旦挿入されるとバネ性により外側に拡がるため、簡単には抜けなくなるものである。そのため、特に上下方向の衝撃に対しては絶対的な強度を備えるものである。そして、この落下防止器具Ａは、管体３を下側から胴部１で確実に保持するので落下する危険性を皆無にすることができる。
【００２２】
このように、落下防止器具Ａは、一旦取付けられた状態では、容易に外れないので、直管形ＬＥＤ照明の特徴である長時間寿命（約４万時間）の間も落下等の心配もなく、安心して使用できるものである。さらに、直管形ＬＥＤ照明の交換などで、この落下防止器具Ａを外す場合は、図３に示す取付けの状態において、係止部２、２の下側を指などで掴み、バネ性に抗して内側に押して、そのまま下側に引き抜けば簡単に外れるものである。
【００２３】
次に、図５に示す落下防止器具Ｂは、前述した落下防止器具Ａの係止部２の形状を一部変更したものである。この落下防止器具Ｂに使用する係止部２′は反射板４′との係止面２ａが先端より根本に向かって上方に傾斜させてある。また、反射板４′の接触面である裏面４ａも同様に切り込んで傾斜させてある。
【００２４】
上述のように構成された落下防止器具Ｂは、使用状態においては図５に示すように、挿入時においては、反射板４′の切り込まれた裏面4ａ′のバネ性を利用して挿入することができ、スムースに挿入できるものである。そして、一旦挿入されると、この傾斜が引っ掛かりとなり、一層外れにくいものとなる。
【符号の説明】
【００２５】
Ａは落下防止器具
Ｂは落下防止器具
１は胴部
２は係合部
２ａは係止面
３は管体
４は反射板
４ａは裏面
５は挿入孔
６はソケット
７は天井
【図１】
0003166927.tif 000003
【図２】
0003166927.tif 000004
【図３】
0003166927.tif 000005
【図４】
0003166927.tif 000006
【図５】
0003166927.tif 000007
【手続補正書】
【提出日】平成23年1月28日(2011.1.28)
【手続補正１】
【補正対象書類名】実用新案登録請求の範囲
【補正対象項目名】全文
【補正方法】変更
【補正の内容】
【実用新案登録請求の範囲】
【請求項１】
直管形ＬＥＤ照明の管体を下側より保持する保持部と、前記保持部の先端に一体に形成され前記保持部を取付け部材の挿入孔に係止する係止部と、が備えられていることを特徴とする落下防止器具。
【請求項２】
前記保持部は光透過性の合成樹脂材料から略Ｕ字状に形成されていることを特徴とする落下防止器具。
【請求項３】
前記保持部は、先端部が弾性を備えていることを特徴とする請求項１に記載の落下防止器具。
【請求項４】
前記係止部は、前記保持部の先端に設けられ、楔状に形成されていることを特徴とする請求項1に記載の落下防止器具。
【請求項５】
前記係止部は、前記保持部の先端に設けられて楔状に形成され、取付け部材との係止面が水平であることを特徴とする請求項１に記載の落下防止器具。
【請求項６】
前記係止部は、前記保持部の先端に設けられて楔状に形成され、取付け部材との係止面が傾斜していることを特徴とする請求項１に記載の落下防止器具。
【手続補正２】
【補正対象書類名】明細書
【補正対象項目名】０００７
【補正方法】変更
【補正の内容】
【０００７】
上記課題を解決するため、請求項１の考案にあっては、直管形ＬＥＤ照明の管体を下側より保持する保持部と、前記保持部の先端に一体に形成され前記保持部を取付け部材の挿入孔に係止する係止部と、が備えられていることを特徴とするものである。